(57)【特許請求の範囲】
【請求項１】
記録紙を押し上げて給紙側端部を給紙位置に近接させる底板と、この底板上にセットされた記録紙の後端位置に設けられたガイド差込穴と、このガイド差込穴に差し込まれる差込部を有するエンドガイドと、カセット本体の底面に設けられ当該底面側に押し下げられた前記底板の一部に対して一端部が押し当てられた前記エンドガイドの差込部が係合する底板固定穴とを具備し、前記底板は、カセット本体の底面側に押し下げたとき前記底板固定穴と対向する領域に開口部又は切欠きが形成され、前記エンドガイドは、前記底板の開口部又は切欠きの隣接領域に取付端部が当接されると共に、前記差込部が前記開口部又は切欠きを介して前記底板固定穴に差し込まれることを特徴とする給紙カセット。
【請求項２】
前記エンドガイドの差込部を挿入する底板の開口部が、記録紙の有無検知に用いる開口部であることを特徴とする請求項１記載の給紙カセット。
【請求項３】
給紙カセットにセットされた記録紙の後端を揃えるエンドガイドを給紙カセットの記録紙後端位置から取り外し、記録紙を給紙位置へ押し上げる底板を前記給紙カセットの底面側に押し下げ、この底板に形成した開口部又は切欠きに前記エンドガイドの差込部を挿入して給紙カセットの底面に設けた底板固定穴に係合させることで、前記底板を固定することを特徴とする給紙カセット固定方法。
【発明の詳細な説明】
【０００１】
【発明の属する技術分野】
本発明は、ファクシミリ装置、複写機等に用いられる給紙カセット及び給紙カセット固定方法に関する。
【０００２】
【従来の技術】
ファクシミリ装置、複写機等は、プリント動作時にデータ印刷のために転写部へ供給される記録紙を記録紙サイズ毎に給紙カセットに保持している。給紙カセットは、所定の厚さに重ねた同一サイズの記録紙を上方へ押し上げて一番上の記録紙の給紙側を給紙位置に合わせた高さに調整する底板と呼ばれる部材が設けられている。
【０００３】
図６に給紙カセットの構成例を示す。同図に示すように、給紙カセット１０１内部の記録紙収納部に底板１０２が配置される。底板１０２は、記録紙収納部の中央部から給紙側端部にかけての領域に設置され、記録紙収納部の中央側の端部がカセット本体の側壁１０３、１０４に回動自在に取り付けられる。
【０００４】
また、底板１０２の給紙側端部の下面とカセット本体の底面との間に底板２の給紙側端部を上方へ付勢するばねを設ける一方、給紙側端部における底板１０２又は記録紙の高さを給紙位置に規制する分離爪１０６、１０７を有する回動アーム１０８、１０９を設けている。
【０００５】
回動アーム１０８、１０９は、記録紙の給紙方向と直交する方向のセット位置を位置決めするためのサイドガイド１１１、１１２に回動自在に取り付けられており、分離爪１０６、１０７が給紙位置まで来たところで高さ方向が位置規制される。
【０００６】
カセット本体にセットする記録紙の給紙方向の位置は分離爪１０６、１０７によって位置決めされ、記録紙の給紙方向と対向する端部の位置はエンドガイド１１３により位置決めされる。
【０００７】
ところで、上記した給紙カセットに設けられている底板１０２及び回動アーム１０８、１０９といった部品はカセット本体に完全に固定されているわけではないので、このままの状態で輸送すると、底板１０２が輸送の際の振動で上下に振動して破損する恐れがある。
【０００８】
従来は、輸送時における底板１０２及び回動アーム１０８、１０９の振動を防止するため、梱包の際に発泡スチロ−ルやダンボ−ル等の緩衝部材１１４を底板１０２と分離爪１０６、１０７との間に挟んで固定している。
【０００９】
【発明が解決しようとする課題】
しかしながら、梱包する際に底板等を固定するために使用する発泡スチロ−ルやダンボ−ル等は、輸送時にのみ使用するものであり、ファクシミリ装置、複写機等が一旦設置された後は不要となり廃棄される。
【００１０】
このように、一時的にしか使用しない緩衝部材のためのコストが発生するといった問題があり、また緩衝部材が輸送後に廃棄されることから環境へ配慮するという観点からも改善されるべきである。
【００１１】
本発明は、以上のような実情に鑑みてなされたものであり、発泡スチロ−ルやダンボ−ル等の一時的にしか使用しない緩衝部材を使用することなく輸送の際に底板等を確実に固定することができてコストダウンを図ることができ、また輸送後に無駄な廃棄物を出すことのない給紙カセット及び給紙カセット固定方法を提供することを目的とする。
【００１２】
【課題を解決するための手段】
本発明は上記課題を解決するために以下のような手段を講じた。
【００１３】
請求項１記載の発明は、記録紙を押し上げて給紙側端部を給紙位置に近接させる底板と、この底板上にセットされた記録紙の後端位置に設けられたガイド差込穴と、このガイド差込穴に差し込まれる差込部を有するエンドガイドと、カセット本体の底面に設けられ当該底面側に押し下げられた前記底板の一部に対して一端部が押し当てられた前記エンドガイドの差込部が係合する底板固定穴とを具備し、前記底板は、カセット本体の底面側に押し下げたとき前記底板固定穴と対向する領域に開口部又は切欠きが形成され、前記エンドガイドは、前記底板の開口部又は切欠きの隣接領域に取付端部が当接されると共に、前記差込部が前記開口部又は切欠きを介して前記底板固定穴に差し込まれる構成を採る。
【００１４】
この構成により、記録紙の後端を揃えるためのエンドガイドを利用して底板をカセット本体の底面に固定するので、発泡スチロ−ルやダンボ−ル等の一時的にしか使用しない緩衝部材を使用することなく輸送の際に底板等を確実に固定することができる。
【００１６】
また、底板に開口部又は切欠きを形成し、開口部又は切欠きに対向する底面に底板固定穴を設けたので、輸送の際にはエンドガイドで底板をカセット本体の底面に簡単かつ確実に固定することができる。
【００１７】
請求項２記載の発明は、エンドガイドの差込部を挿入する底板の開口部に記録紙の有無検知に用いる開口部を用いる構成を採る。
【００１８】
この構成により、エンドガイドの差込部を挿入する開口部と記録紙の有無検知用の開口部とを共用することができ、底板の製造工程を簡略化できる。
【００１９】
請求項３記載の発明は、給紙カセットにセットされた記録紙の後端を揃えるエンドガイドを給紙カセットの記録紙後端位置から取り外し、記録紙を給紙位置へ押し上げる底板を前記給紙カセットの底面側に押し下げ、この底板に形成した開口部又は切欠きに前記エンドガイドの差込部を挿入して給紙カセットの底面に設けた底板固定穴に係合させることで、前記底板を固定する構成を採る。
【００２０】
この構成により、記録紙の後端を揃えるためのエンドガイドを利用して底板をカセット本体の底面に固定でき、発泡スチロ−ルやダンボ−ル等の一時的にしか使用しない緩衝部材の廃棄物を減らすことができる。
【００２１】
【発明の実施の形態】
以下、本発明の実施の形態を図面を参照して具体的に説明する。
【００２２】
図１に本発明の実施の形態に係る給紙カセットの構成を示している。本実施の形態では、図１に示す給紙カセットをファクシミリ装置に用いる場合について説明するが、複写機等のファクシミリ装置以外の給紙カセットとして用いることもできる。
【００２３】
図２は図１に示す給紙カセットを備えるファクシミリ装置の例を示している。ファクシミリ装置１は、転写機構を内蔵するファクシミリ本体２、自動給紙するときの記録紙を保管する給紙カセット３、記録紙を手差し給紙する際に使用する手差し機構４、ファクシミリ原稿の挿入部５、ファクシミリ操作釦部６、ファクシミリ原稿排紙トレイ７、記録紙排紙トレイ８等から構成される。
【００２４】
図１に示すように、給紙カセット１０は長方形をなすカセット本体底面１１の外周部を四方から囲むように、給紙方向に対向した一対の側壁１２、１３及び給紙方向と直交する方向に対向した一対の側壁１４、１５がカセット本体底面１１の外周部に垂直に一体形成されている。
【００２５】
カセット本体底面１１には、給紙方向の一方の側壁１２から記録紙載置領域の中央部に掛けて台状部１６が成形されている。台状部１６の上面には、記録紙の各サイズに対応した記録紙後端位置に、エンドガイド１７を取り付けるためのガイド差込穴１８、１９、２０が形成されている。例えば、ガイド差込穴１８はＡ４サイズの記録紙の給紙方向の後端位置に形成され、ガイド差込穴１９はＢ５サイズの記録紙の給紙方向の後端位置に形成され、ガイド差込穴２０はＡ５サイズの記録紙の給紙方向の後端位置に形成される。
【００２６】
さらに、カセット本体底面１１には、台状部１６の先端部と給紙方向のもう一つの側壁１３との間であって側壁１３近傍の位置に一対のガイド差込台２１、２２が設けられている。ガイド差込台２１、２２の上面には上記ガイド差込穴１８等と左右同一ピッチで同形状の底板固定穴が形成されている。すなわち、ガイド差込台２１、２２に対してもエンドガイド１７を着脱できるようにしている。
【００２７】
図３は、台状部１６のＡ４サイズの後端位置での断面及びエンドガイド１７を示している。台状部１６は、給紙方向と平行な中心線を挟んで左右対称位置に鍵型穴３１ａ、３１ｂが形成され、さらに同一線上で内側に一対のストレ−ト穴３２ａ、３２ｂが形成されている。鍵型穴３１ａ、３１ｂは、開口部付近において外側の内壁が内側（上記中心線側）に僅かに突出した係合部３３ａ、３３ｂが形成されている。台状部１６のＡ５サイズ、Ｂ５サイズの各後端位置にも上記中心線を挟んで同じ位置関係で鍵型穴３１ａ、３１ｂ及びストレ−ト穴３２ａ、３２ｂからなるガイド差込穴１９、２０が形成されている。
【００２８】
エンドガイド１７は、鍵型穴３１ａ、３１ｂ間とほぼ同じ横幅を有しており、取付端部の両側に鍵型突起のある差し込み３４ａ、３４ｂを備え、差し込み３４ａ、３４ｂの内側には一対のスリット３５ａ，３５ｂが加工されている。差し込み３４ａ、３４ｂの先端部に設けられた鍵型突起は外側に突出している。また、エンドガイド１７は、差し込み３４ａ、３４ｂの内側でストレ−ト穴３２ａ、３２ｂと同一の位置関係でストレート状の差し込み３６ａ、３６ｂを有している。
【００２９】
図４に、ガイド差込台２１、２２の給紙方向と直交する方向の断面を示している。ガイド差込台２１、２２の各上面には、エンドガイド１７の差し込み３４ａ、３４ｂを差し込むための鍵型穴４１ａ、４１ｂ及び差し込み３６ａ、３６ｂを差し込むためのストレ−ト穴４２ａ、４２ｂが形成されている。鍵型穴４１ａ、４１ｂ及びストレ−ト穴４２ａ、４２ｂで底板固定穴を構成している。
【００３０】
カセット本体底面１１には、側壁１４、１５に沿って一対のサイドガイド５１、５２が配設されている。サイドガイド５１、５２は、カセット本体底面１１に形成したガイドに給紙方向と直交する方向へ摺動可能に取付けられている。サイドガイド５１、５２は、垂直な位置決め面を夫々有する後方ガイド部５３ａ、５４ａ及び前方ガイド部５３ｂ、５４ｂで構成される。
【００３１】
カセット本体底面１１の記録紙載置領域の中央から給紙側端部にかけての領域に底板６０が配置される。底板６０の給紙側端部の対向端部は給紙方向と直交する左右方向に延びる取付け片６１、６２が垂直に折り曲げられ、その折り曲げ部が左右側壁１４、１５の後方ガイド部５３ａ、５４ａと前方ガイド部５３ｂ、５４ｂとの間に設けた回動軸６３に回動自在に取り付けられる。
【００３２】
また、図５（ａ）（ｂ）に示すように、底板６０の給紙側端部の下面とカセット本体底面１１との間に底板６０の給紙側端部を上方へ付勢するばね６４を設けている。先端に分離爪６５ａ、６５ｂを有する回動アーム６５が各前方ガイド部５３ｂ、５４ｂに回動自在に取付けられ、ばね６４にて上方へ付勢された底板６０の給紙側端部又は記録紙を給紙位置に規制している。底板６０は、該底板６０をばね６４の弾性力に抗して押し下げたときに上記ガイド差込台２１、２２と対向する領域に矩形の開口部６６、６７が形成されている。なお、図５において、分離爪６５ａ、前方ガイド部５３ｂは、図示されない。
【００３３】
開口部６６は、一方のガイド差込台２１よりも大きな開口に形成されており、底板６０をカセット本体底板１１側に押し下げた状態でガイド差込台２１の上面をカセット上方より覗くことができるようになっている。もう一つの開口部６７は、ガイド差込台２２の上面及び記録紙有無検知センサの検知範囲をカバーする大きさに形成されている。すなわち、開口部６７は記録紙有無検知センサによる検知用にも用いられる。開口部６６、６７間に形成された連結部６８は上記エンドガイド１７の差し込み３６ａ，３６ｂ間の寸法よりも小さくなっている。
【００３４】
以下、本実施の形態の動作について説明する。
上記構成の給紙カセットでは、エンドガイド１７を用いることで底板６０をカセット本体底面１１に固定することができる。
【００３５】
底板６０をカセット本体底面１１から解放した状態では、底板６０の給紙側がばね６４により上方に付勢され左右の回動軸６３を支点にして回動し、図５（ａ）に示す状態になる。
【００３６】
図５（ａ）に示す状態から、エンドガイド１７の差し込み３６ａ，３６ｂで底板６０の連結部６８を跨ぐようにしてエンドガイド１７の取付端部を底板６０に押し当てて下方（カセット本体底面１１側）に押し下げる。
【００３７】
底板６０の給紙側端部をばね６４の復元力に抗して押し下げると、底板６０が回動支点６３を支点にして回動する。図５（ｂ）に示すように、底板６０がほぼ水平になったところで、エンドガイド１７の取付端部に設けた差し込み３４ａ，３４ｂ及び３６ａ，３６ｂが底板６０の開口部６６、６７よりガイド取付台２１、２２に形成した底板固定穴に挿入される。
【００３８】
差し込み３４ａ，３４ｂがガイド取付台２１、２２に形成した鍵型穴４１ａ，４１ｂに挿入されるときには、差し込み３４ａ，３４ｂの先端部のテーパが鍵型穴４１ａ，４１ｂの開口部に接触して内側方向の応力を受ける。これにより、差し込み３４ａ，３４ｂが内側に曲げられて滑らかに鍵型穴４１ａ，４１ｂに差し込まれる。また、挿入後は、自然反力により差し込み３４ａ，３４ｂがもとの状態に復帰することにより鍵型穴４１ａ，４１ｂの開口部の凸部に差し込み３４ａ，３４ｂの先端が係合する。したがって、エンドガイド１７に対してばね６４による引き抜き方向（上方）の力が作用しても、エンドガイド１７の差し込み３４ａ，３４ｂがガイド取付台２１、２２の鍵型穴４１ａ，４１ｂに係合して底板６０はガイド取付台２１、２２の一体形成されたカセット本体底面１１に固定されたままの状態を維持することになる。
【００３９】
一方、ファクシミリ装置を搬送した場所で使用する場合は、エンドガイド１７の両サイドをスリット３５ａ，３５ｂ側に押して、差し込み３４ａ，３４ｂと鍵型穴４１ａ，４１ｂとの係合を解除した上でエンドガイド１７を上方に引き抜く。カセット本体底面１１のガイド取付台２１、２２から引き抜いたエンドガイド１７を、記録紙サイズに合わせて選択した台状部１６のガイド差込穴（１８〜２０のいずれか）に差し込む。これにより、カセット本体の記録紙載置領域にセットした記録紙の終端を位置決めするエンドガイド本来の作用を奏することになる。
【００４０】
また、ファクシミリ装置の稼動時には、当該給紙カセットにセットされた記録紙が自動給紙動作に連動してファクシミリ装置の転写部側へ順次繰り出される。ファクシミリ装置に設けた記録紙有無検知センサは底板６０に形成した一方の開口部６７に相当する領域に光を照射してその反射光から記録紙の有無を検知している。給紙カセットに記録紙が無くなると、光が開口部６７に抜けてしまい反射光量が急激に減少するので、記録紙が無くなったことを検知できる。
【００４１】
このように本実施の形態によれば、カセット本体底面１１にエンドガイド１７を取付可能な底板固定穴（４１ａ，４１ｂ，４２ａ，４２ｂ）を設けると共に、底板６０の取付穴と対向する領域に開口部６６、６７を設けたので、輸送の際にはエンドガイド１７で底板６０をカセット本体底面１１に簡単かつ確実に固定することができ、輸送後には底板６０の固定に用いたエンドガイド１７をエンドガイド本来の用途に用いることができる。したがって、輸送の際に底板を固定するた通過帯域９ＭＨｚのめに用いていた発泡スチロ−ル、ダンボ−ル等の緩衝部材を削減でき、無駄な廃棄物を抑制することができる。
【００４２】
また、底板６０に形成されるエンドガイド１７の差し込み３４ｂ、３６ｂを差し込むための開口部６７を記録紙有無検知用のセンサと共用するので、底板６０の製造工程を簡略化できる利点がある。
【００４３】
以上の説明では、底板６０に２つの開口部６６、６７を形成して、その対向位置にガイド差込台２１、２２を設けているが、底板６０の周辺部において一対の切欠きを設け、切欠きに対応した領域にガイド差込台を設けてエンドガイドを取り付けるように構成してもよい。また、底板６０の周辺部において開口部と切欠きを設け、それぞれに対応した領域にガイド差込台を設けてエンドガイドを取り付けるように構成してもよい。
【００４４】
【発明の効果】
以上説明したように本発明によれば、発泡スチロ−ルやダンボ−ル等の一時的にしか使用しない緩衝部材を使用することなく輸送の際に底板等を確実に固定することができてコストダウンを図ることができ、また輸送後に無駄な廃棄物を出すことのない給紙カセット及び給紙カセット固定方法を提供できる。
【図面の簡単な説明】
【図１】本発明の実施の形態に係る給紙カセットの構成を示す概略図
【図２】本発明の実施の形態に係る給紙カセットを備えたファクシミリ装置の外観図。
【図３】本発明の実施の形態に係る給紙カセットの記録紙後端位置での断面図。
【図４】本発明の実施に形態に係る給紙カセットのガイド取付台の断面図。
【図５】（ａ）給紙カセットの底板が解放状態での底板部分の側断面図。
（ｂ）給紙カセットの底板が固定状態での底板部分の側断面図。
【図６】従来の給紙カセットの斜視図。
【符号の説明】
１０  給紙カセット
１１  カセット本体底面
１２、１３、１４、１５  側壁
１６  台状部
１７  エンドガイド
１８、１９、２０  ガイド差込穴
２１、２２  ガイド差込台
６０  底板
６６、６７  開口部
４１ａ，４１ｂ，４２ａ，４２ｂ  底板固定穴
【図１】
0003805063.tif 000002
【図２】
0003805063.tif 000003
【図３】
0003805063.tif 000004
【図４】
0003805063.tif 000005
【図５】
0003805063.tif 000006
【図６】
0003805063.tif 000007